Podtech/llm-jp-corpus-v4-ja_patent huggingface dataset:
(57)【要約】      （修正有）【課題】展示物の落下防止機能を有し、かつ分解式で部材の交換が容易な、ひな壇什器を提供する。【解決手段】床板３と正面板４をセットすることが出来る様に溝加工を施した両側板１を横架材２で接続する「簡単な分解式」とする。「ひな壇」をコンパクトに収納することが出来、発送費用も安価に出来、破損時に部材単位で修理出来るようになる。また、正面板をガラス板にする事で見た目は勿論、「落下防止機能」を持たせることが出来る様になる。【選択図】図２
0003213191.tif 000002
【実用新案登録請求の範囲】
【請求項１】
分解式とする事で部材の交換が容易である事を特徴とするひな壇什器。
【請求項２】
自立式の両側板に床板と正面板をセットして、ひな壇の印象や機能を変更する事が出来る請求項１の什器。
【請求項３】
ひな壇の前面にガラスを立ち上げる事で、展示物の落下を防止する事が出来る請求項１の什器。
【考案の詳細な説明】
【技術分野】
【０００１】  本考案は、落下防止の機能を持たせる事も出来る分解式のひな壇に関する。
【背景技術】
【０００２】  従来のひな壇は展示物を階段状に展示するというだけの物が多く、地震等の際に展示物が落下してしまったり、分解式でないために使わない時にかさばったり、高級感が無かったり、破損をしたら破損部分の交換が出来なかったりする。
【考案の概要】
【考案が解決しようとする課題】
【０００３】  本考案は、以上のような従来の欠点に鑑み、ひな壇を簡単な分解式にする事と、落下防止の機能を持たせる事、そして水平及び垂直部分を簡単に入れ替えして雰囲気を変えることが出来る「ひな壇」を提供する事を目的としている。
【課題を解決するための手段】
【０００４】  以上の課題を解決するため、水平・垂直部材を簡単に取り外すことの出来るように、両側板を自立出来る構造として、そこに水平・垂直部材を簡単にセット出来るようにした。（図１）
【考案の効果】
【０００５】  分解式にする事で、そのままでは場所をとる「ひな壇」をコンパクトに収納することが出来、発送費用も安価に出来、破損時に部材単位で修理出来るようになる。また、水平及び垂直部材を交換出来る様にする事で見た目は勿論、例えば「落下防止機能（図２）」を持たせることが出来る様になる。
【図面の簡単な説明】
【０００６】
【図１】自立可能な両側板の斜視図である。
【図２】自立可能な両側板に床と落下防止の正面ガラスをセットした斜視図である。
【考案を実施するための形態】
【０００７】  本考案の一実施形態を図１及び図２に示すが、図１は溝加工を施した両側板を横架材を用いて自立出来るようにしたもので、両側板に施した溝に床板や落下防止の正面板をセットした物が図２である。
【０００８】  この実施形態は組み立ても簡単で、展示物の前面への落下を防ぐ事が出来、部材単位での交換を可能にする。そして、両側板を透明アクリル、床板及び正面板を透明ガラスで構成した場合は、透明感と高級感の有る美しいひな壇とする事が出来る。
【符号の説明】
【０００９】１  溝加工を施した両側板
２  両側板を自立させるための横架材
３  床板（落とし込んでいるだけのためガラス／化粧板等々に容易に交換出来る。）
４  展示物の前面への落下を防止する透明ガラス板
【図１】
0003213191.tif 000003
【図２】
0003213191.tif 000004
【手続補正書】
【提出日】平成29年8月3日(2017.8.3)
【手続補正１】
【補正対象書類名】実用新案登録請求の範囲
【補正対象項目名】請求項１
【補正方法】変更
【補正の内容】
【請求項１】
溝加工を施した両側板を横架材を用いて自立出来る構造として水平・垂直部材を簡単にセット出来るようにした事を特徴とするひな壇什器。
(57)【要約】      （修正有）【課題】不特定多数の手が触れる公共交通機関車内の吊り革等に触れる状況で、不快感を催す事の無い様に簡単に装着でき、取外し時には吊り革との接触面に触れずに折り畳み、廃棄できる衛生用品を提供する。【解決手段】衛生用品１は、焼却廃棄可能な材質を用い、人差し指と中指、薬指と小指を仕切り部３で分割して差し込み使用する袋形状とし、手の甲側４は手の露出面積を多く、手の平側５は手の平全てを覆い、使用後に折り返した時に、指先側が全て内側に隠れる長さとする。【選択図】図１
0003213199.tif 000002
【実用新案登録請求の範囲】
【請求項１】
不特定多数の手が触れる公共交通機関車内の吊り革等に触れる状況で、
不快感を催す事の無い様に簡単に装着でき、気温が高い時でも蒸れによる不快感を
催さず、取外し時には吊り革等との接触面に触れずに折り畳み、廃棄できる衛生用品。
【考案の詳細な説明】
【技術分野】
【０００１】
本考案は、公共の場で使用する衛生用品に関するものである。
【背景技術】
【０００２】
不特定多数が触れた状態の吊り革等に触れる状況において、
ハンカチ等を使用して直接触れないようにしていた。
【考案の概要】
【考案が解決しようとする課題】
【０００３】
しかし、身近にある布製品を使用した場合には使用後も携行
し繰り返し使用する必要があり、吊り革等との接触面に間接的に
触れることになる。
【課題を解決するための手段】
【０００４】
必要時のみ装着し、使用後は吊り革等の対象物との接触面に手を
触れることなく取外し及び廃棄できるものを提供する。
【考案の効果】
【０００５】
安価な材質を使用することにより、使い捨てマスク等の他の衛生用品と
同様に必要時のみ装着し、使用後は吊り革等の対象物との接触面を内側
に折り返した状態で取り外して、不快感を催すこと無く廃棄できる。
【図面の簡単な説明】
【０００６】
【図１】使用時に衛生用品を装着した状態を示す図である。
【図２】使用後に、吊り革等との接触面を内側に折り返した状態を示す図である。
【考案を実施するための形態】
【０００７】
本衛生用品1は焼却廃棄可能で安価な材質を用い、人差し指と中指、薬指と
小指を仕切り部3で分割して差し込み使用する袋形状とし、手の甲側4は気温が
高い時の蒸れを防ぐ為に手の露出面積を多く、手の平側5は手の平全てを
覆い、使用後に折り返した時に、図2に示す通り指先側が全て内側に隠れる長さ
とする。
【符号の説明】
【０００８】
1  衛生用品
2  手の輪郭
3  衛生用品の脱落を防ぐための仕切り部
4  衛生用品の手の甲側の面の範囲
5  衛生用品の手の平側の面の範囲
【図１】
0003213199.tif 000003
【図２】
0003213199.tif 000004
【手続補正書】
【提出日】平成29年8月22日(2017.8.22)
【手続補正１】
【補正対象書類名】実用新案登録請求の範囲
【補正対象項目名】全文
【補正方法】変更
【補正の内容】
【実用新案登録請求の範囲】
【請求項１】
焼却廃棄可能な材質を用い、人差し指と中指、薬指と小指を仕切り部で分割し
て差し込み使用する袋形状とし、手の甲側は手の露出面積を多く、手の平側は手
の平全てを覆い、使用後に折り返した時に、指先側が全て内側に隠れる長さとす
ることを特徴とする衛生用品。
(57)【要約】      （修正有）【課題】従来の逆折り式傘の傘骨構造は開閉の度合いに応じて軸間距離が変わる場所の補強のために一部の補助骨を可動式にしている。本考案においては不要な可動部分を無くし、簡素にして強度を保てる傘骨構造を提供する。【解決手段】中棒２の上部に固定の上ロクロ４を設け、中棒上を可動するロクロは２個を一定距離で繋ぎ中ロクロ５と下ロクロ６とする。上ロクロから上骨グループが繋がり、中ロクロから繋がる中骨グループは上骨グループの一定位置に連結される。下ロクロから出る下骨グループは端部においては上骨グループに連結されるが、途中ロクロ支点から一定の距離の点で中骨グループの一点と、中ロクロと下ロクロと同じ距離で、平行四辺形の関係を保つ位置で連結し、この関係を保って動作させることにより、確実な逆折り傘動作をしながら、強度の高い傘骨構造を実現する。【選択図】図１
0003213194.tif 000002
【実用新案登録請求の範囲】
【請求項１】
上骨グループを支える中骨グループと下骨グループの骨構造において、中ロクロと下ロクロそして中ヒンジと下ヒンジが互いに向かい合う支点間長さを同じ固定距離で連結し、４点が平行四辺形を形成して動く傘骨構造を持つ逆折り式傘。
【考案の詳細な説明】
【技術分野】
【０００１】
逆折り式傘の傘骨構造に関する。
【先行技術文献】
【特許文献】
【０００２】
【特許文献１】実用新案登録第3210476号
【考案の概要】
【考案が解決しようとする課題】
【０００３】
逆折り式傘は一段の骨組構造では強度が保ちにくいため、補助骨を連結して補強した構造のものが出ている。従来の傘骨構造は開閉の度合いに応じて軸間距離が変わる場所の補強のために一部の補助骨を可動式にしてこれに対処してきた。本考案においては不要な可動部分を無くし、簡素にして強度を保てる傘骨構造を提供する。
【課題を解決するための手段】
【０００４】
中棒（2）上段に固定された上ロクロ（4）を設け、中棒（2）中間に中ロクロ（5）を配し、中ロクロ（5）より一定距離下に下ロクロ（6）を連結する。下ロクロ（6）と中ロクロ（5）は一体となって中棒（2）上を可動する。上ロクロ（4）より第一上骨（11）に接続、第一上ヒンジ（12）に接続、第一上ヒンジ第二支点（122）から第二上骨（13）へ接続、第二上ヒンジ（14）に接続される。以上を上骨グループとする。中ロクロ（5）から第一中骨（16）、中ヒンジ（17）、第二中骨（18）、第一上ヒンジ第一支点（121）に接続する。これを中骨グループとする。下ロクロ（6）から第一下骨（20）、下ヒンジ（21）、第二下骨（22）、第二上ヒンジ（14）にピン連結される。これらを下骨グループとする。中ヒンジ（17）と下ヒンジ（21）は連結骨（19）で連結される。この時、中ロクロ（5）のピン位置から中ヒンジ（17）のピン位置までの距離(b)は下ロクロ（6）のピン位置から下ヒンジ（21）のピン位置までの距離と等しい。また、中ロクロ（5）のピン位置から下ロクロ（6）のピン位置までの距離(a)と中ヒンジ（17）のピン位置と下ヒンジ（21）のピン位置までの距離は等しい。つまりこの４点は平行四辺形となっている。これにより下ロクロ（6）の可動に合わせて下骨グループと中骨グループは中棒側からヒンジ部までは平行に連結されて動く。中骨グループと上骨グループは第一上ヒンジ第一ピン（121）位置を支点に上ロクロ（4）と中ロクロ（5）が三角形を形成するように動く。上骨グループの第二上骨（13）は第一上ヒンジ第二支点（122）において逆折りされる構造となっている。第一上ヒンジ第一支点（121）と第一上ヒンジ第二支点（122）の距離は中ヒンジ（17）ピン位置と下ヒンジ（21）ピン位置の距離（a）の半分かそれより若干大きくなる長さにしている。下骨グループの第二下骨（22）は第一下骨（20）と直線接続されているが力が掛かると撓む材料としている。この上骨グループの第二上骨（13）と下骨グループ第二下骨（22）が第二上ヒンジ（14）にて連結されている。各骨の長さ関係を適切にとることにより、傘を逆折りに閉じた状態から、傘の逆折りを広げる動作、傘の開いた状態までを下ロクロを可動することで各骨が連動して滑らかに操作ができる。傘が開いた状態で下ロクロ（6）を上ハジキ（9）で係止めすると上骨グループを中骨グループ、下骨グループが互いに連結して支える強固な骨構造ができる。さらに上傘布（7）が張られることで強度が増すことになる。
【考案の効果】
【０００５】
上傘布（7）を張る上骨グループを中骨グループと下骨グループが連結されて動くことで、逆折り式の傘の開閉動作が滑らかになる。また、傘を開いた状態で中骨グループと下骨グループの距離が最大になった所での係止めで２段連結構造で支えることになり風圧等に対して強度が高い。従来の逆折り式傘に見られるように開閉操作中に骨位置を調整する可動部材や位置決め部材を設ける必要がないので、作成が簡易で確実である。
【図面の簡単な説明】
【０００６】
【図１】傘を開いた状態の傘骨構造見取り図
【図２】傘の開閉途中の傘骨構造図
【図３】傘をほぼ閉じた状態の傘骨構造図
【符号の説明】
【０００７】
1：石突  2：中棒  3：手元  4：上ロクロ  5：中ロクロ  6：下ロクロ  7：上傘布  8：下傘布  9：上ハジキ  10：下ハジキ  11：第一上骨  12：第一上ヒンジ  121：第一上ヒンジ第一支点  122：第一上ヒンジ第二支点  13：第二上骨  14：第二上ヒンジ  15：端部ポール  16：第一中骨  17：中ヒンジ  18：第二中骨  19：連結骨  20：第一下骨  21：下ヒンジ  22：第二下骨
【図１】
0003213194.tif 000003
【図２】
0003213194.tif 000004
【図３】
0003213194.tif 000005
【手続補正書】
【提出日】平成29年8月23日(2017.8.23)
【手続補正１】
【補正対象書類名】実用新案登録請求の範囲
【補正対象項目名】請求項１
【補正方法】変更
【補正の内容】
【請求項１】
傘布を張る上骨グループと、前記上骨グループを支える中骨グループ及び下骨グループと、を有する傘骨構造を持つ逆折り式傘であって、前記逆折り式傘は、中棒と、前記中棒中間に設けられた中ロクロと、前記中ロクロより一定距離下に連結された下ロクロと、を有し、前記中ロクロ及び前記下ロクロは一体となって前記中棒上を可動し、前記中骨グループは前記中ロクロから前記上骨グループ中の第一上ヒンジまでの間に順に設けられた第一中骨、中ヒンジ及び第二中骨を備え、前記下骨グループは前記下ロクロから前記上骨グループの第二上ヒンジまでの間に順に設けられた第一下骨、下ヒンジ及び第二下骨を備え、前記中ヒンジと前記下ヒンジは連結骨で連結されており、前記中ロクロ、前記下ロクロ、前記中ヒンジ及び前記下ヒンジを互いに向かい合う支点間長さを同じ固定距離で連結し、前記中ロクロのピン位置、前記下ロクロのピン位置、前記中ヒンジのピン位置及び前記下ヒンジのピン位置の４点が平行四辺形を形成して動くことを特徴とする逆折り式傘。
(57)【要約】      （修正有）【課題】フィルター越しの呼吸を楽にするとともに、息漏れや、異物の進入をより強力に防ぐことができる鼻孔拡張機能付きマスクを提供する。【解決手段】マスク上部中心部分で、肌と接する方にプラスチックでできた細長い板状物２を付着させ、板状物を接着剤を塗布した布または、不織布３で覆う。マスク上部が鼻部の皮膚と密着すると同時に、呼吸時にはプラスチックの弾力により鼻孔を開くことができる。【選択図】図１
0003213171.tif 000002
【実用新案登録請求の範囲】
【請求項１】
マスクの上部中央部分に薄くて細長いプラスチックでできた板状物を装着した鼻孔拡張機能付きマスク。
【請求項２】
マスクの上部中央部分に薄くて細長いプラスチックでできた板状物を貼り付け、マスクが肌と接する面の、細長いプラスチックでできた板状物を含む面の部分に接着剤を塗布した鼻孔拡張機能付きマスク。
【請求項３】
立体マスクの半分に折った片面の上部中央部分に薄くて細長いプラスチックでできた板状物を細長く伸びた半分を立体マスク中心部までに貼り付け、半分は裏面に接着剤を塗布した状態で立体マスクには貼り付けないでおく。立体マスクが肌と接する面の上部中央部分には、細長いプラスチックでできた板状物を含む面の部分に接着剤を塗布した鼻孔拡張機能付きマスク。
【考案の詳細な説明】
【技術分野】
【０００１】  現在、花粉や、ハウスダスト、ＰＭ２．５などアレルギー性鼻炎に悩む人が多い。また、風邪やインフルエンザにかかる者も多くいる。このような場合、よりよいマスクを欲する者が数多くいる現状がある。本校案は、この解決のために最適な考案物といえる。
【背景技術】
【０００２】  従来のマスクは、主に不織布の構想を利用し、またそれを二重または、三重にすることで、微細な粒子を絡め取る構造になっている。また、立体型にすることで呼吸や、会話がしやすくなっていたり、ノイズワイヤーにより息もれやマスクの隙間からの微細粒子の進入をできるだけ防げるような構造になっているのが従来品の利点といえる技術である。
【考案の概要】
【考案が解決しようとする課題】
【０００３】  従来品での構造では、立体構造でもノイズワイヤーを利用しても多少の異物の進入や息漏れがある。またマスクをしている者は、風邪やインフルエンザにかかっているか、花粉症などの鼻炎を発症していると考えられる。そのため鼻呼吸が、マスクがないときに比べてやりずらくなる。
本考案は、この課題を解決する者である。
【課題を解決する手段】
【０００４】  本考案物は、マスクの上部中心部分に薄く、細長いプラスチックでできた板状物を横長マスクの横の線に平行にマスクに貼り付ける。この板状物を覆うように、両面に接着剤を塗布した面状物を貼り付ける。これにより鼻の両側面を引っ張りあげることができる。また、同時にマスク上部が接着剤により顔の鼻の上部分と目の下の部分で密着できる。
【考案の効果】
【０００５】  鼻の構造から、鼻呼吸で息を吐くときは、鼻孔は少し膨らむが、息を吸うときは、鼻孔がすくし狭くなる。よって本考案物の構造により鼻の側面を引き上げることで、鼻孔を広げることができマスクをｓ多時の息を吸うつらさを和らげることができる。風邪や、花粉症による鼻づまりがあればなおのことである。
またマスク上部が接着剤により顔の鼻の上部分と目の下の部分で密着させることで、マスク上部からの息漏れや、外からの異物が侵入することを防ぐことができる。マスクの上部が接着により固定されるとマスクの左右部分や、下部の密閉性を高めることにもつながる。
【図面の簡単な説明】
【０００６】
【図１】  不織布マスク仕様による考案物の平面図
【図２】  立体マスク仕様による考案物を２つに折った時の平面図
【符号の説明】
【０００７】  １．中心線                      ２．細長いプラスチックでできた板状物
３．マスクの肌接地面側に付した接着剤
４．マスク本体部分              ５．耳かけ部分
【図１】
0003213171.tif 000003
【図２】
0003213171.tif 000004
【手続補正書】
【提出日】平成29年8月5日(2017.8.5)
【手続補正１】
【補正対象書類名】実用新案登録請求の範囲
【補正対象項目名】請求項３
【補正方法】変更
【補正の内容】
【請求項３】
立体マスクの半分に折った片面の上部中央部分に薄くて細長いプラスチックでできた板状物を細長く伸びた半分を立体マスク中心部までに貼り付け、半分は裏面に接着剤を塗布した状態で立体マスクには貼り付けないでおき、立体マスクが肌と接する面の上部中央部分には、細長いプラスチックでできた板状物を含む面の部分に接着剤を塗布した鼻孔拡張機能付きマスク。
(57)【要約】      （修正有）【課題】手洗用の洗剤を持ち運びする際に、衣服のポケットが嵩張ることがなく、又その洗剤をポケットから容易に取り出すことができるペーパー石鹸を提供する。【解決手段】湿式として、紙、布又は樹脂紙からなる本体に液体の洗剤を含浸し、湿った状態としたペーパー石鹸である。乾式として、その湿った状態のペーパー石鹸を、乾燥状態にしてもよい。また、乾式として、紙、布又は樹脂紙からなる本体に、凹凸又は小孔を設け、粉末状の洗剤を圧入圧着してもよい。使用する際はペーパー石鹸の本体と、それに含浸した洗剤と手洗い用の水とで汚れた手を揉むことにより衛生的に洗うことができる。【選択図】図１
0003213180.tif 000002
【実用新案登録請求の範囲】
【請求項１】
湿式として、ペーパー石鹸の本体を構成している紙、布、樹脂紙等に液体の洗剤を含浸し、湿った状態のペーパー石鹸
【請求項２】
乾式として、ペーパー石鹸の本体を構成している紙、布、樹脂紙等に液体の洗剤を含浸し、その湿った状態のペーパー石鹸を、乾燥状態にしたペーパー石鹸
【請求項３】
乾式として、ペーパー石鹸の本体を構成している紙、布、樹脂紙等に凹凸又は小孔を儲け、そのペーパー石鹸に粉末状の洗剤を圧入、圧着したペーパー石鹸
【考案の詳細な説明】
【技術分野】
【０００１】本考案は、紙、布、樹脂紙等に洗剤を含浸したもの
【背景技術】
【０００２】固形洗剤、液体洗剤等を容器に入れてから鞄・バック等に収納し携帯していた
【先行技術文献】
【特許文献】
【０００３】
【特許文献１】
【非特許文献】
【０００４】
【非特許文献１】
【考案の概要】
【考案が解決しようとする課題】
【０００５】各工事現場等の出先に出張する際には、現場で手に付着した汚れを除去するために石鹸、洗剤等を持参する必要があり、それ等を器に入れてから鞄・バック等に収納し持参する、工事現場等では石鹸、洗剤等を使用する際には持参した石鹸、洗剤等を鞄・バック等から出し入れする必要があり、その不便さ、煩わしさ、又洗剤を鞄バック等から取り出す際に鞄・バック等を汚す困惑さもあった
【課題を解決するための手段】
【０００６】本考案のペーパー石鹸は、その厚さの構造は家庭用に使われているクッキングペーパーに近似し、大きさは、一般的に使われている携帯用テッシュペーパーよりも小さいので衣服のポケットに収まりが良く、出し入れもたやすく取扱が便利です
【考案の効果】
【０００７】ペーパー石鹸の大きさが、携帯用テッシュペーパーよりも小さいので外出、出張時に衣服のポケットに収納しても嵩むこともなく、ポケットからの出し入れも便利であり、手に付着した汚れは、ペーパー石鹸の本体と、それに含浸した洗剤と手洗い水とで手を揉むことにより汚れを除く事が出来、衛生効果が大きい
【図面の簡単な説明】
【０００８】
【図１】  平面図  ペーパー石鹸本体の大きさは、約５センチ×５センチ  程度
【図２】  側面図  ペーパー石鹸本体の厚さは、約１ミリ  程度
【図３】  断面図  ペーパー石鹸本体に、洗剤を含浸
【考案を実施するための形態】
【０００９】ペーパー石鹸は、湿式と乾式との２種類として、
湿  式  １）本体ペーパーに液体洗剤を含浸し、含浸した本体ペーパーを保湿の状態で袋            に入れて保有する
乾  式  １）本体ペーパーに液体洗剤を含浸し、含浸した液体洗剤を乾燥した状態にして            袋に入れて保有する
２）本体ペーパーに乾燥粉末洗剤を低圧含浸したものを袋に入れて保有する
【実施例】
【００１０】手に付着した汚れは、ペーパー石鹸の本体と、それに含浸した洗剤と手洗い水とで手を揉むことにより、手の汚れを除去することができる
【符号の説明】
【００１１】１    ペーパー石鹸の本体
２    ペーパー石鹸の本体に洗剤を含侵する
【産業上の利用可能性】
【００１２】工事現場等では手洗い水があっても、洗剤が設置されていない場合が多く、このペーパー石鹸を衣服のポケットに携帯すれば、たやすくそのペーパー石鹸を取り出すことが出来るので、手に付着した汚れをに取り除くことができる、又このペーパー石鹸は、製造単価が廉価なので、会社、商品、等の広告宣伝の媒介としても利用することができると考えます
【図１】
0003213180.tif 000003
【図２】
0003213180.tif 000004
【図３】
0003213180.tif 000005
【手続補正書】
【提出日】平成29年8月8日(2017.8.8)
【手続補正１】
【補正対象書類名】実用新案登録請求の範囲
【補正対象項目名】全文
【補正方法】変更
【補正の内容】
【実用新案登録請求の範囲】
【請求項１】
湿式として、紙、布又は樹脂紙からなるペーパー石鹸の本体に液体の洗剤を含浸し、湿った状態としたペーパー石鹸。
【請求項２】
乾式として、紙、布又は樹脂紙からなるペーパー石鹸の本体に液体の洗剤を含浸し、その湿った状態のペーパー石鹸を、乾燥状態にしたペーパー石鹸。
【請求項３】
乾式として、紙、布又は樹脂紙からなるペーパー石鹸の本体に、凹凸又は小孔を設け、そのペーパー石鹸に粉末状の洗剤を圧入圧着したペーパー石鹸。
(57)【要約】      （修正有）【課題】収容物が収納袋の容量に対して小型であるなどの理由から、内部空間に余剰が有りすぎることで適切に収納・保護できず中で暴れる等の不具合を解決する内部空間調整可能収納袋を提供する。【解決手段】任意の対象物を収納・保護するための内部空間調整可能収納袋であって、内面側に設置した帯状の部品により様々な大きさ・形状のスペーサーを巻き取り固定・保持する構造を設けた。【選択図】図１
0003213172.tif 000002
【実用新案登録請求の範囲】
【請求項１】
任意の対象物を収納・保護するための袋状、またはそれに準ずる構造を有する内部空間調整可能収納袋。
【請求項２】
請求項１の内面側に設置した帯状の部品により様々な大きさ・形状のスペーサーを巻き取り固定・保持する構造を設けた内部空間調整可能収納袋。
【考案の詳細な説明】
【技術分野】
【０００１】本考案は任意の対象物を収納・保護するにあたり、収納袋の内壁に設置した帯状の部品により様々な大きさ・形状のスペーサーを巻き取り固定・保持することで、収容物を適切に収納・保護する道具に関する。
【技術背景】
【０００２】特になし
【考案が解決しようとする課題】
【０００３】収容物が収納袋の容量に対して小型であるなどの理由から、内部空間に余剰が有りすぎることで適切に収納・保護できず中で暴れる等の不具合が生じる。
【課題を解決するための手段】
【０００４】任意の対象物を収納・保護するにあたり、収納袋の内壁に設置した帯状の部品により様々な大きさ・形状のスペーサーを巻き取り固定・保持する構造を有したもの。この構造により上記の課題を解決する手段とする。
【考案の効果】
【０００５】任意の対象物を収納・保護するための収納袋の従来のものには、その内部に様々な大きさ・形状のスペーサーを固定・保持する構造を有していない。そのため通常使用に耐える程度の収納・保護が不可能であった。
【考案を実施するための最良の形態】
【０００６】収納袋の内壁に設置した帯状の部品により様々な大きさ・形状のスペーサーを巻き取り固定・保持する構造を有したもの。
【図面の簡単な説明】
【０００７】
【図１】全体図
【図１】
0003213172.tif 000003
【手続補正書】
【提出日】平成29年7月28日(2017.7.28)
【手続補正１】
【補正対象書類名】実用新案登録請求の範囲
【補正対象項目名】全文
【補正方法】変更
【補正の内容】
【実用新案登録請求の範囲】
【請求項１】
任意の対象物を収納・保護するための内部空間調整可能収納袋。
【請求項２】
内面側に設置した帯状の部品により様々な大きさ・形状のスペーサーを巻き取り固定・保持する構造を設けた請求項１に記載の内部空間調整可能収納袋。
(57)【要約】      （修正有）【課題】エアコン使用時における送風の風向きによる室内の寒暖差や結露を防止する業務用エアコン風よけを提供する。【解決手段】エアコンの送風吹出し口の長さに合わせた略正方形の布生地１において一対の対向辺各々に面テープ２を設けてあり、二つの面テープ２の間にそれぞれ等間隔で４個の風量調整パッチ４ａ〜４ｈを設けてあり、この面テープ２の箇所をエアコンの吹出し口の両側に設置された面テープに結合させて取付け風量を調整する。【選択図】図１
0003213175.tif 000002
【実用新案登録請求の範囲】
【請求項１】
布製のエアコン風よけであって、長さ×幅が約５１０ｍｍ×５１０ｍｍの略正方形の生地において、一方の対向的な１対の辺沿いにそれぞれ約２５ｍｍ幅の面テープを設けてあり、この２つの面テープ間の中間域において他方の一対の辺沿いに等間隔でそれぞれ４つの風量調整パッチを設けてある。
このように形成されたエアコン風よけを使用する際には、エアコン機体側のそれぞれの吹き出し口の両側に、吹き出し口に対し平行に面テープ凹を設置したうえで、エアコン風よけ側の面テープと結合させて取付ける形で使用されることを特徴とする業務用エアコン風よけ。
【考案の詳細な説明】
【技術分野】
【０００１】エアコン本体の風の出口に布を付け、エアコンの風が直接当たらないようにするための風よけに関する。
【背景技術】
【０００２】従来、エアコンの風が直接当たらないようにする既製品（プラスチック製）はあるが効果は低い。
【先行技術文献】
【非特許文献】
【０００３】
【非特許文献１】ダイアンサービスＨＰ
【考案の概要】
【考案が解決しようとする課題】
【０００４】（イ）業務用エアコンを使用する室内では冷気等が風向きにより届く箇所と届かない箇所が発生する。そのため、店舗等による業務用エアコン使用箇所においては顧客の体感による寒暖差が生じ、不快に感じることにより顧客満足度の低下を招くことになる。
（ロ）非特許文献１に示される先行技術はエアコン冷気による結露により、床や陳列された商品等が濡れてしまうことがあり、風向きを調整するのに苦労する。
【課題を解決するための手段】
【０００５】  布製のエアコン風よけであって、長さ×幅が約５１０ｍｍ×５１０ｍｍの略正方形の生地において、一方の対向的な１対の辺沿いにそれぞれ約２５ｍｍ幅の面テープを設けてあり、この２つの面テープ間の中間域において他方の一対の辺沿いに等間隔でそれぞれ４つの風量調整パッチを設けてある。
このように形成されたエアコン風よけを使用する際には、エアコン機体側のそれぞれの吹き出し口の両側に、吹き出し口に対し平行に面テープ凹を設置したうえで、エアコン風よけ側の面テープと結合させて取付ける形で使用される。
以上を特徴とする業務用エアコン風よけである。
【考案の効果】
【０００６】（イ）室内全体にエアコンの風が行き渡るため寒暖差が生じにくい。また、結露の発生を抑えることが出来る。
（ロ）室内や業務形態の雰囲気に合わせて図柄の選択が可能であるとともに、取付け取り外しが容易なため、清掃・洗濯を行うことにより衛生的である。
【図面の簡単な説明】
【０００７】
【図１】本考案の平面図
【図２】本考案を取付ける対象であるエアコン側に、面テープを設置して準備した状態を示す正面図
【図３】エアコン吹出し口の一つに本考案を取付けて使用している二つの異なる使用例（イ）（ロ）を示すイメージ図
【考案を実施するための最良の形態】
【０００８】以下、本考案に係る一実施形態について、図１及び図２を参照して説明する。
（イ）図２は天井に設置されたエアコンの上下左右それぞれの吹出し口の長手方向に沿って、吹出し口を挟む両側に面テープを設置してある。
（ロ）各吹出し口沿いに設置された面テープの長さに合わせ、その長さを一辺とする略正方形にカットした布生地において、一方の対向的な二辺沿い一杯に面テープを設置してあり、面テープの間に２ヶ所、エアコンからの送風量を調整するためのボタン（カシメ）を左右対称に取付けてある（図１参照）。
（ハ）風量調整には４ｂ風量調整パッチと４ｃ風量調整パッチ、４ｆ風量調整パッチと４ｇ風量調整パッチをそれぞれ留めることにより調整を図る（図３−イ）。
さらに４ａ風量調整パッチと４ｄ風量調整パッチ、４ｅ風量調整パッチと４ｈ風量調整パッチをそれぞれ留めることにより風量を抑えるように調整を図ることが出来る（図３−ロ）。
【付合の説明】
【０００９】１    布生地
２    面テープ
３    風向き
４ａ  風量調整パッチ
４ｂ  風量調整パッチ
４ｃ  風量調整パッチ
４ｄ  風量調整パッチ
４ｅ  風量調整パッチ
４ｆ  風量調整パッチ
４ｇ  風量調整パッチ
４ｈ  風量調整パッチ
５    吹出し口
６    エアコン機体
【図１】
0003213175.tif 000003
【図２】
0003213175.tif 000004
【図３】
0003213175.tif 000005
【手続補正書】
【提出日】平成29年7月10日(2017.7.10)
【手続補正１】
【補正対象書類名】実用新案登録請求の範囲
【補正対象項目名】全文
【補正方法】変更
【補正の内容】
【実用新案登録請求の範囲】
【請求項１】
布製のエアコン風よけであって、長さ×幅が約５１０ｍｍ×５１０ｍｍの略正方形の生地において、一方の対向的な１対の辺沿いにそれぞれ約２５ｍｍ幅の面テープを設けてあり、この２つの面テープ間の中間域において他方の一対の辺沿いに等間隔でそれぞれ４つの風量調整パッチを設けてあり、このように形成されたエアコン風よけを使用する際には、エアコン機体側のそれぞれの吹出し口の両側に、吹き出し口に対し平行に面テープ凹を設置したうえで、エアコン風よけ側の面テープと結合させて取付ける形で使用されることを特徴とする業務用エアコン風よけ。
(57)【要約】      （修正有）【課題】人力を効果的に活用できる省力自転車の構造を提供する。【解決手段】少なくとも１個の車輪を有し、車輪中央の片側には車軸ギア８１を配置する。車軸ギア８１にはチェーン７を連接し、チェーン７には回転ギア１をさらに連接する。回転ギア１の軸心１０は第一クランク３一端に連接し、第一クランク３のそれに相対する反対端は第一クランク連接点１１である。第一クランク連接点１１は連棒２の一端内側に連接し、連棒２のそれに相対する反対端はペダル６で、連棒２の第一クランク連接点１１横外側は、第二クランク連接点１２を通して、第二クランク４の一端に連接し、第二クランク４のそれに相対する反対端は第二クランク４とフレーム５の連接点１３に連接し、第二クランク４とフレーム５の連接点１３はフレーム５に位置する。自転車回転ギア１位置を変え、連棒２により２個のクランク３、４の回転構造を連接し、長さを拡大した連棒２を踏み込むことで省力できる。【選択図】図１
0003213309.tif 000002
【実用新案登録請求の範囲】
【請求項１】
省力自転車の構造であって、少なくとも１個の車輪を有し、
前記車輪中央の片側には、車軸ギアを配置し、
前記車軸ギアには、チェーンを連接し、
前記チェーンには、回転ギアをさらに連接し、
前記回転ギアの軸心は、第一クランク一端に連接し、
前記第一クランクのそれに相対する反対端は、第一クランク連接点で、前記第一クランク連接点は、連棒の一端内側に連接し、
前記連棒のそれに相対する反対端はペダルで、
前記連棒の第一クランク連接点横外側は、第二クランク連接点を通して、第二クランクの一端に連接し、
前記第二クランクのそれに相対する反対端は、第二クランクとフレームの連接点に連接し、
前記第二クランクとフレームの連接点は、フレーム位置に連接する
ことを特徴とする省力自転車の構造。
【請求項２】
前記連棒、第一クランク、第二クランクとペダルは、車輪両側にそれぞれ各一組設置される
ことを特徴とする請求項１に記載の省力自転車の構造。
【請求項３】
前記フレームは、Ｕ字状を呈し、前記車輪外縁に跨いで設置される
ことを特徴とする請求項１に記載の省力自転車の構造。
【請求項４】
前記回転ギアは、前記車輪後上方の横側に位置する
ことを特徴とする請求項１に記載の省力自転車の構造。
【考案の詳細な説明】
【技術分野】
【０００１】
本考案は省力自転車の構造に関し、特に従来の自転車において、長さを拡大した連棒によりクランクを連接する省力自転車の構造に関する。
【背景技術】
【０００２】
自転車はその誕生以来、駆動クランク長さ構造の制限により、変速構造が改善された以外は、踏み込みの力を有効に発揮することができていない。
【０００３】
しかし、自転車の踏み込みをさらに省力化できれば、人力をより効果的に活用できる。
【考案の概要】
【考案が解決しようとする課題】
【０００４】
前記先行技術には、駆動クランク長さ構造の制限により、踏み込みの力を有効に発揮することができていないという欠点がある。
【課題を解決するための手段】
【０００５】
本考案は、回転ギア位置を、従来の両足下方から後輪の後上方へと移動し、長さが拡大された連棒により２個のクランクを連接し、連棒の反対端にペダルを設置することで、ペダルに施力すると、てこの原理に似た作用を発揮し、省力の目的を達成し、自転車誕生以来の構造的な制限を打ち破る省力自転車の構造に関する。
【０００６】
本考案による省力自転車の構造において、該自転車は、車輪を有する。
該車輪中央の片側には、車軸ギアを配置する。
該車軸ギアには、チェーンを連接する。
該チェーンには、回転ギアをさらに連接する。
該回転ギアの軸心は、第一クランク一端に連接し、該第一クランクのそれに相対する反対端は、第一クランク連接点である。
該第一クランク連接点は、連棒の一端内側に連接し、該連棒のそれに相対する反対端は、ペダルである。
該連棒の第一クランク連接点横外側は、第二クランク連接点を通して、第二クランクの一端に連接し、該第二クランクのそれに相対する反対端は、第二クランクとフレームの連接点に連接する。
該第二クランクとフレームの連接点は、フレーム位置に連接し、該フレームは、ややＵ字状を呈し、車輪外縁を跨いで設置される。
該連棒、第一クランク、第二クランクとペダル等構造は、車輪両側にそれぞれ各一組設置される。
該回転ギアは、該車輪後上方の横側に位置する。
【０００７】
本考案は自転車回転ギア位置を変え、連棒により２個のクランクの回転構造を連接し、長さを拡大した連棒を踏み込むことで省力できる原理を利用し、省力の目的を達成する。
【図面の簡単な説明】
【０００８】
【図１】本考案の正視図である。
【図２】本考案の頂視図である。
【考案を実施するための形態】
【０００９】
（一実施形態）
図１、図２に示す通り、本考案による省力自転車の構造において、自転車は、車輪８を有する。
車輪８中央の片側には、車軸ギア８１を配置する。
車軸ギア８１には、チェーン７を連接する。
チェーン７には、回転ギア１をさらに連接する。
回転ギア１の軸心１０は、第一クランク３一端に連接し、第一クランク３のそれに相対する反対端は、第一クランク連接点１１である。
第一クランク連接点１１は、連棒２の一端内側に連接し、連棒２のそれに相対する反対端は、ペダル６である。
【００１０】
連棒２の第一クランク連接点１１横外側は、第二クランク連接点１２を通して、第二クランク４の一端に連接し、第二クランク４のそれに相対する反対端は、第二クランクとフレームの連接点１３に連接する。
第二クランクとフレームの連接点１３は、フレーム５位置に連接し、フレーム５は、ややＵ字状を呈し、車輪８外縁を跨いで設置される。
連棒２、第一クランク３、第二クランク４とペダル６等構造は、車輪８両側にそれぞれ各一組設置される。
【００１１】
上述の構造を通して、連棒２を平行に回転させ、連棒２反対端のペダル６を利用し、ペダル６を踏み込むと、第二クランクとフレームの連接点１３と支点として、てこ原理の作用を形成する。
これにより、回転ギア１は回転し、チェーン７を連動して車輪８の走行を連動し、省力の目的を達成する。
【００１２】
前述した本考案の実施形態は本考案を限定するものではなく、よって、本考案により保護される範囲は後述される実用新案登録請求の範囲を基準とする。
【符号の説明】
【００１３】
１  回転ギア
１０  軸心
１１  第一クランク連接点
１２  第二クランク連接点
１３  第二クランクとフレームの連接点
２  連棒
３  第一クランク
４  第二クランク
５  フレーム
６  ペダル
７  チェーン
８  後輪
【図１】
0003213309.tif 000003
【図２】
0003213309.tif 000004
(57)【要約】      （修正有）【課題】防水材と改修用ドレンの接合部の密着性を確実に行うことができ、また、酸性雨による鉛害リスクを排除することもできる改質アスファルト防水工事用改修ドレンを提供する。【解決手段】筒部１の上部を短冊状に切断し、切断部を鍔部２の中央穴に挿し込んで、鍔部２の上部に放射線状に広げて熱溶着し、その上から、当該溶着部より広い円弧状の増し張り部３を熱溶着により補強張りし、さらに鍔部２下側の中央穴付近を円弧状にシーリング処理した。アスファルト系改修防水の場合、防水材と同質の改質アスファルトシートを素材とする改修用ドレンを設けることにより、防水工事の要諦であるドレン周辺部の水密性を高め、併せて鉛製ドレンに起因する環境負荷の低減を図る。【選択図】図１
0003213383.tif 000002
【実用新案登録請求の範囲】
【請求項１】
陸屋根の改質アスファルト系改修防水工事において、既存のルーフドレンに被せて用いる改質アスファルト系防水工事用改修ドレンの考案。改質アスファルト系防水材と改修ドレンの水密性を図ること、現在の改修防水工事において多用されている鉛製改修ドレンが酸性雨の影響で溶出し河川等を汚染させることを防止すること、の２点をねらいとし、筒部、鍔部、増し張り部の３部品で構成され、各部品を溶溶着、圧着させることで一体化させた改質アスファルト系防水工事用改修ドレン。
【考案の詳細な説明】
【技術分野】
【０００１】  本考案は、改質アスファルト系改修防水工事における改修用ドレンに関するものである。
【背景技術】
【０００２】  改修防水の工法としては、シート系防水と塗膜系防水に大別され、シート系防水の素材としては改質アスファルト、アスファルト、塩ビ、ゴムシート等があり、塗膜系としてはウレタン、ＦＲＰ等があるが、改修防水に用いる排水用ドレンの素材は、鉛製改修ドレンが圧倒的に多い。【０００３】  改修用ドレンの素材と特徴は下表のとおりであり、本考案と比較する。
0003213383.tif 000003
【考案が解決しようとする課題】
【０００４】  アスファルト系の改修防水工事をする場合、改修ドレンは一般的に鉛製ドレンが多用され、銅製ドレン、ＦＲＰ製ドレンも製品化されている。防水の水密性を高めるには防水材と同質の素材が望ましいが、アスファルト系改修防水工事においては、アスファルト系の改修ドレンは開発されていない。現在、製品化されているドレンの素材は、熱膨張係数の差異や接着部の経年劣化から長期的にみると、いずれの素材もアスファルト系防水材と剥離するおそれがある。
【０００５】  近年、大気汚染の深刻化と共に酸性雨が環境に及ぼす影響が懸念されている。鉛製の水道配管やプリント基板のはんだ溶接部、狩猟や害獣駆除、クレー射撃等に使用されていた鉛弾等の鉛が酸性雨で溶出し河川や農作地を汚染させるおそれがあることが問題視しされ、環境庁やクレー射撃協会の方針で鉛弾は使用されなくなった。同様に、建築防水分野においても鉛製ドレンに代わる素材が求められている。
【課題を解決するための手段】
【０００６】  改修用ドレンは既存のドレンに挿入する筒状の部分と、ドレン周辺の躯体に密着させる鍔状の部分から成り、三次元形状を有する。金属製ドレン（鉛製、銅製）の場合は、筒部と鍔部をロウ付け溶着で一体化し、ＦＲＰ製ドレンの場合は金型で一体成型する。これに対してゴムシート製（生産停止）と、本考案の改質アスファルトシート製の場合は、筒部と鍔部の接着部を増し張りシート材で補強し、筒部が脱落しないようにする構造が不可欠となる。つまり、筒部、鍔部、増し張り部の３部品を一体化することが求められる。
【０００７】  本考案においては、筒部の上部を短冊状に切断し、切断部を鍔部の中央穴に挿し込んで、鍔部の上部に放射線状に広げて熱溶着し、その上から、放射線状の溶着部より広い円弧上の増し張り部を熱溶着により補強張りし、さらに鍔部下側の中央穴周辺を円弧状にシーリング処理することとした。これにより３部品が一体化し筒部の脱落を防ぐことができる。
【図面の簡単な説明】
【０００８】
【図１】  アスファルト防水用修ドレンの全体図である。
【図２】  アスファルト防水用修ドレンの筒部の部品図である。
【図３】  アスファルト防水用修ドレンの鍔部の部費図である。
【図４】  アスファルト防水用修ドレンの増し張り部の部品図である。
【考案を実施するための形態】
【０００９】  アスファルト系防水における改修用ドレンの三次元形状を、最小の部品点数で筒部の脱落を防ぐという目的を実現した。
【実施例１】
【００１０】  図１は、本考案の１実施例の全体図であって、１は筒部、２は鍔部、３は増し張り部、４はシーリング部である。【００１１】  筒部１は、既存ドレンの内側に挿入され、鍔部２をドレン周辺の躯体に密着させて固定し、陸屋根の降雨を集水し樋に誘導して排水する。増し張り部３とシーリング部４は、筒部１と鍔部２の補強部なので説明を省略する。
【産業上の利用可能性】
【００１２】  アスファルト系改修防水工事において、改修用ドレンの選択肢を増やすことにより、改修現場の多様なニーズに応えることができる。
【符合の説明】
【００１３】１  筒部
２  鍔部
３  増し張り部
４  シーリング部
【図１】
0003213383.tif 000004
【図２】
0003213383.tif 000005
【図３】
0003213383.tif 000006
【図４】
0003213383.tif 000007
【手続補正書】
【提出日】平成29年8月24日(2017.8.24)
【手続補正１】
【補正対象書類名】実用新案登録請求の範囲
【補正対象項目名】全文
【補正方法】変更
【補正の内容】
【実用新案登録請求の範囲】
【請求項１】
筒部の上部を短冊状に切断し、切断部を鍔部の中央穴に挿し込んで、鍔部の上部に放射線状に広げて熱溶着し、その上から、当該溶着部より広い円弧状の増し張り部を熱溶着により補強張りし、さらに鍔部下側の中央穴付近を円弧状にシーリング処理した改質アスファルト防水工事用改修ドレン。
(57)【要約】      （修正有）【課題】風雨や低温時には安全な自転車使用は阻まれる。法律上雨天時傘さし走行は禁止されており、こうした環境下でも安心安全容易に乗れる自転車用３点風防を提供する。【解決手段】風雨でも乗れる自転車用３面風防は、自転車前部投影面積をほぼ覆う軽量なフレーム１と、全面に透明な塩ビ板２、又は塩ビ布が貼付され、左右側板は操向に伴う運転者の身体に押され自由に自然追随作動する透明な塩ビ板６が装着されて、運転者は自転車走行中の前部、横の風雨を防ぎ安全な運転操作ができる。【選択図】図１
0003213384.tif 000002
【実用新案登録請求の範囲】
【請求項１】
風雨でも乗れる自転車用3面風防は自転車前部投影面積をほぼ覆う軽量なフ            レームと、透明な塩ビ板、又は塩ビ布が貼付され、左右側板は操向に伴う運            転者の身体に押され自由に自然追随作動する透明な塩ビ板が装着されて、運            転者は自転車走行中の前部、横等の風雨を防ぎ安全な運転操作ができる。  
【考案の詳細な説明】
【技術分野】
【０００１】
自転車は誰でも気軽に乗れる生活の足として優れた生活必須のアイテムです。しか      し、風雨や低温、悪天候の環境下では使用が阻まれる。前部と左右両サイドに透明      な３面の風防を装着して雨具を着用しないで乗れる自転車用の風雨除け風防である      。これにより天候に左右されない自転車を安全に有効利用できる。
【背景技術】
【０００２】
風雨でも乗れる自転車用3面風防は自転車前部投影面積をほぼ覆う軽量なフレーム      と、透明な塩ビ布が貼付され、左右側板は操向に伴う運転者の身体に押され自由に      自然追随作動する透明な塩ビ板が装着されて自転車走行中の風雨を防ぐ機能を有す      る。
【先行技術文献】
【非特許文献】
【０００３】
【非特許文献１】電動ママチャリと屋根付き自転車コロポックル研究所in茨木ウェブサイト（http://shaftdrive-cycle.hatenablog.jp/entry/2016/03/13/014513）
【考案の概要】
【０００４】
風雨でも乗れる自転車用3面風防は自転車前部投影面積をほぼ覆う軽量な主フレー      ムが自転車本体前部ハンドルとハンドルフォークに緊結され、透明な塩ビ板又は塩      ビ布が全面貼付され視界を確保、左右ドアは塩ビ透明軽量で上半身をほぼ覆い、蝶      番が主フレームの後端には取り付けられにスプリングで常に内側引き込む様な機能      を有し、操向に伴う運転者の身体に密着し外側に押され自由に自然追随作動するこ      とで前部と左右横から自転車走行中の風雨を防ぐ機能を有する。
【考案が解決しようとする課題】
【０００５】
高齢になって自動車免許返納等や風雨の天候では乗れない。身近な足として自転車      があるが風雨や低温な気温なども健康上、安全な自転車使用は阻まれる。法律上雨      天時傘さし走行は禁止されており、こうした環境下でも安心安全容易に乗れる自転      車用３点風防を提供するものである。
【課題を解決するための手段】
【０００６】
上記目的を達成するために１、耐久性のプラスチック等適宜素材にて組み立てられ      た主フレームを自転車本体ハンドル及びハンドルフォークに緊結され、前方視界を      確保する為、透明な塩ビ板全面貼付され、左右側板塩ビドアは透明軽量で上半身を      ほぼ覆い、蝶番が主フレームの後端にそれぞれ取り付けられスプリングで常に内側      引き込む様な機能を有し、操向に伴う運転者の身体に密着し外側に押され自由に自      然追随作動することで前部と左右横から自転車走行中の風雨を防ぐ機能を有する。      
【考案の効果】
【０００７】
風雨や外気が低温の時でも前部、左右から冷たい雨、風から守られ走行できるの        で日常の必要な時、随時使用でき生活が便利、安全になる。寒風が直接あたるこ        とがないので循環気系の余病を持つ人は生活環境が向上する。  レンタル自転車        に装備して観光客に便宜を提供できる。また、災害緊急時や帰宅困難者が自転車        に装備することで２次災害を軽減できる。
【図面の簡単な説明】
【０００８】
【図１】本考案の風雨除けの３点風防キャビンの実施例を示す斜視図である。
【考案を実施するための形態】
【０００９】
耐久性のプラスチック等適宜素材にて組み立てられた主フレーム1、を自転車本体      のハンドル及びハンドルフォークに取り付けるキャッチ部3、4、で緊結され、前      方視界を確保する為、軽量で透明な塩ビ板全面貼付され、左右側板塩ビドア6、は      軽量透明で上半身をほぼ覆い、蝶番7、が主フレーム1、の後端にそれぞれ取り付      けられ、この両ドアはスプリング5、で常に本体の内側引き込む様な装置により、      操向に伴う運転者の身体に密着し、外側に押され自由に自然追随作動することで左      右横から自転車走行中の風雨を防ぐ機能を有する。
【実施例】
【００１０】
図１は自転車全体に取り付ける部材である。
【符号の説明】
【００１１】
1本体フレーム
2塩ビ系透明板
3自転車本体ハンドル部に緊結するキャッチ部
4自転車本体フォーク部に緊結するキャッチ部
5両サイドの透明ドアを内側に引っ張る為のスプリング
6サイドの風雨除け可動式ドア
7ドアと本体フレームとつなぐ蝶番
【図１】
0003213384.tif 000003
【手続補正書】
【提出日】平成29年8月31日(2017.8.31)
【手続補正１】
【補正対象書類名】実用新案登録請求の範囲
【補正対象項目名】全文
【補正方法】変更
【補正の内容】
【実用新案登録請求の範囲】
【請求項１】
風雨でも乗れる自転車用3面風防は、自転車前部投影面積をほぼ覆う軽量なフレームと、透明な塩ビ板、又は塩ビ布が貼付され、左右側板は操向に伴う運転者の身体に押され自由に自然追随作動する透明な塩ビ板が装着されて、運転者は自転車走行中の前部、横の風雨を防ぎ安全な運転操作ができることを特徴とする自転車用３面風防。
(57)【要約】      （修正有）【課題】稲苗の根が張っても根を傷めない水田の草取り治具を提供する。【解決手段】水田の雑草を抜き取る草取り治具であって、鉄製Ｌアングル１にピアノ線２を櫛状に固定して、ピアノ線２で構成した櫛状の治具を櫛引するように移動することにより、水田の雑草を引っ掻いて抜き取ることができる。稲苗がピアノ線２に引掻かけられても抜けないようにピアノ線２の太さを直径５ミリ以下とした４本線の束を、等間隔でＬアングル１に固定する。また、苗代が湾曲したり幅が狭くなったり直線的でなくても、草取り治具を田植え機に固定して櫛引する、或いは草取り治具を手押し車に固定し人力により櫛引することで雑草を引き抜くことができる。【選択図】図１
0003213388.tif 000002
【実用新案登録請求の範囲】
【請求項１】
鉄製Ｌアングルにピアノ線を櫛状に固定して、水田の雑草はピアノ線で構成した櫛状の治具を櫛引するように移動することにより、引っ掻いて抜き取ることを特徴とする。
【請求項２】
稲苗がピアノ線に引掻かけられても抜けないようにピアノ線の太さは直径５ミリ以下とした４本線の束を、等間隔でＬアングルに固定することを特徴とする。
【請求項３】
苗代が湾曲したり幅が狭くなったり直線的でなくても、田植え機等の移動機械に固定した治具により櫛引する、或いは人力等により櫛引することで雑草を引き抜くことを特徴とする。
【考案の詳細な説明】
【技術分野】
【０００１】  本考案は水田の雑草取り治具である。稲苗の根が張っても根を傷めない治具だが、稲苗の生育状況を観察してから草取りすることが必要条件とする。
【背景技術】
【０００２】  従来の草取り機は稲苗周囲を回転する羽根車により、雑草を引き抜く回転機構であるが、苗代が直線的なことを基本としている。苗代が湾曲したり途中から苗代幅が広かったり狭かったりすると、稲苗を傷つける場合があった。このような背景から、ヘリやドローンにより、除草剤を散布する方法が用いられるため、無農薬による米作りが減少している。
【考案の開示】
【考案が解決しようとする課題】
【０００３】  本治具は、苗代が湾曲して平行でなかった場合でも、稲苗を傷つけるリスク無いように工夫した。特に谷地を開墾した水田では田底が泥沼状であり、草取り機を直線的に運転して作業を遂行するには、速度を極端に遅くしなければならない課題があった。
【課題を解決するための手段】
【０００４】  選択図１に示すように、ピアノ線４本を束ねて、鉄製Ｌアングルに固定する。この櫛状に固定されたピアノ線が稲苗に接触すると弓状に撓んで苗を傷つけることなく、移動速度を変えても速度に応じてピアノ線が撓むため、上記課題を解決する。
【考案の効果】
【０００５】  櫛状に固定されたピアノ線は稲苗に押されると弓状に撓むが、小さな雑草に対しては根から掻き毟る反力がある。ピアノ線の反力以上に雑草が生育すれば考案効果が半減するため、草取り時期は水田を観察しながら最適時期を決定することが大切である。
【実施例】
【０００６】  選択図に示すように鉄製Ｌアングルに固定されたピアノ線により、水田を櫛引するだけの単純な治具である。軽量であるため、手押し車に固定し人力で押したり、田植え機械に装着して動力により作業することも可能とした。
【産業上の利用可能性】
【０００７】  この治具は機構が単純かつ軽量なため、軽トラが入り込めない小道や、山間僻地の段々水田でも作業が可能である。また、苗代幅が広い水田では大型田植え機械に幅広治具を写真５のように装着すれば、大規模水田でも効率的に草取り作業が可能となる。
【図面の簡単な説明】
【０００８】
【図１】本考案の草取り治具の主要部分となる構成図である。
【符号の説明】
【０００９】  １・・・鉄製Ｌアングル  ２・・・４本束のピアノ線  ３・・・治具取り付け金具
【図１】
0003213388.tif 000003
【手続補正書】
【提出日】平成29年8月21日(2017.8.21)
【手続補正１】
【補正対象書類名】実用新案登録請求の範囲
【補正対象項目名】全文
【補正方法】変更
【補正の内容】
【実用新案登録請求の範囲】
【請求項１】
水田の雑草を抜き取る草取り治具であって、鉄製Ｌアングルにピアノ線を櫛状に固定して、ピアノ線で構成した櫛状の治具を櫛引するように移動することにより、水田の雑草を引っ掻いて抜き取ることを特徴とする草取り治具。
【請求項２】
稲苗が前記ピアノ線に引掻かけられても抜けないように前記ピアノ線の太さを直径５ミリ以下とした４本線の束を、等間隔で前記Ｌアングルに固定することを特徴とする、請求項１に記載の草取り治具。
【請求項３】
苗代が湾曲したり幅が狭くなったり直線的でなくても、前記草取り治具を田植え機に固定して櫛引する、或いは前記草取り治具を手押し車に固定し人力により櫛引することで雑草を引き抜くことを特徴とする、請求項１または請求項２に記載の草取り治具。